【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  入力された位置を取り込む位置入力部を介して、表示部が視認される情報処理装置において、
位置入力部に入力された入力位置を物理入力位置とし、前記物理入力位置に対応した前記表示部の表示位置を表示入力位置とするとき、
前記位置入力部に入力が行われたときには、前記表示部に表示された画像を移動させると共にカーソルを表示入力位置とは異なる位置に表示した後、物理入力位置の移動に対応してカーソルの表示位置を移動させることを特徴とする情報処理装置。
【請求項２】  前記位置入力部に対する入力が解除されたときには、解除される直前に表示されたカーソルの表示位置を入力位置と判定することを特徴とする請求項１記載の情報処理装置。
【請求項３】  カーソルの表示される位置と表示入力位置との関係が、画像の移動方向に対応して変化する場合において、前記表示部に表示された画像を移動させる移動方向を、位置入力部に入力が開始されたときの物理入力位置に対応して変化させることを特徴とする請求項１または請求項２記載の情報処理装置。
【請求項４】  前記位置入力部への入力の継続期間が予め設定された期間より短いときには、前記入力以前の画像の表示を継続することを特徴とする請求項１から請求項３までのいずれかに記載の情報処理装置。
【請求項５】  前記位置入力部の入力範囲のうちの周辺領域であって、画像の移動方向に対応した領域を表示切替領域とするとき、
物理入力位置が表示切替領域に移動したときには、画像の移動量を減少させることを特徴とする請求項１から請求項４までのいずれかに記載の情報処理装置。
【請求項６】  前記位置入力部の入力範囲のうちの周辺領域であって、画像の移動方向に対応した領域を表示切替領域とするとき、
物理入力位置が表示切替領域外から表示切替領域に移動したときには、物理入力位置が表示切替領域外にあるときの画像の移動方向とは異なる方向に移動させた画像を表示部に表示すると共に、前記画像の移動方向の変更に対応して、カーソルの表示位置を変更することを特徴とする請求項１から請求項４までのいずれかに記載の情報処理装置。
【手続補正２】
【補正対象書類名】明細書
【補正対象項目名】０００１
【補正方法】変更
【補正の内容】
【０００１】
【発明の属する技術分野】
本発明は、タッチペンや指等の位置入力手段によって入力された位置を取り込む位置入力部を介して、表示部が視認される情報処理装置に関するものである。
【手続補正３】
【補正対象書類名】明細書
【補正対象項目名】０００２
【補正方法】変更
【補正の内容】
【０００２】
【従来の技術】
タッチペン等の位置入力手段によって入力された位置を取り込む位置入力部を介して、表示部が視認される情報処理装置においては、以下に示す問題が生じることがある。すなわち、表示装置の解像度が高くなると、より多くの情報を表示するため、アイコンや選択ボタンの形状が小型化、かつ複雑化されたアプリケーションプログラムが多くなる。このようなアプリケーションプログラムにおいて、指先などを用いて位置入力する場合、カーソルが指によって隠され、見えなくなる場合が多い。
【手続補正４】
【補正対象書類名】明細書
【補正対象項目名】０００７
【補正方法】変更
【補正の内容】
【０００７】
また、上記目的に加え、位置入力手段が位置入力部から離れるとき（すなわち、位置入力部に対する入力が解除されるとき）の入力位置に基づいて、指定位置を求めることにより、カーソルの移動経路に指定外のアイコンや選択ボタンがあるときにも、容易に所望のアイコンや選択ボタンを指定することのできる情報処理装置を提供することにある。
【手続補正５】
【補正対象書類名】明細書
【補正対象項目名】００１２
【補正方法】変更
【補正の内容】
【００１２】
【課題を解決するための手段】
上記課題を解決するため本発明に係る情報処理装置は、入力された位置を取り込む位置入力部を介して、表示部が視認される情報処理装置に適用し、位置入力部に入力された入力位置を物理入力位置とし、前記物理入力位置に対応した前記表示部の表示位置を表示入力位置とするとき、位置入力部に入力が行われたときには、前記表示部に表示された画像を移動させると共にカーソルを表示入力位置とは異なる位置に表示した後、物理入力位置の移動に対応してカーソルの表示位置を移動させる構成としている。
【手続補正６】
【補正対象書類名】明細書
【補正対象項目名】００１３
【補正方法】変更
【補正の内容】
【００１３】
すなわち、カーソルは、例えばタッチペンや指等の位置指示手段によって入力された位置とは異なる位置に表示される。つまり、カーソルは、位置指示手段によって隠されることのない位置に表示される。また、カーソルは、位置指示手段への入力位置の移動に対応して移動するので、カーソルを移動させる操作は容易となる。
【手続補正７】
【補正対象書類名】明細書
【補正対象項目名】００１４
【補正方法】変更
【補正の内容】
【００１４】
また、上記構成に加え、前記位置入力部に対する入力が解除されたときには、解除される直前に表示されたカーソルの表示位置を入力位置と判定する構成としている。
【手続補正８】
【補正対象書類名】明細書
【補正対象項目名】００１８
【補正方法】変更
【補正の内容】
【００１８】
また、上記構成に加え、前記位置入力部への入力の継続期間が予め設定された期間より短いときには、前記入力以前の画像の表示を継続する構成としている。
【手続補正９】
【補正対象書類名】明細書
【補正対象項目名】００４９
【補正方法】変更
【補正の内容】
【００４９】
位置指示手段１０１がタッチポインティングデバイス１０２から離されたとき（すなわち、タッチポインティングデバイス１０２に対する入力が解除されたとき）には、動作は、ステップＳ１２１からステップＳ１２６に移行する。そして、ステップＳ１２６において、位置指示手段１０１がタッチポインティングデバイス１０２から離れる（すなわち、タッチポインティングデバイス１０２に対する入力が解除される）直前のカーソルの表示位置（具体的には、アイコン２１１の表示位置であり、（Ｘα＋Ｍ，Ｙα＋Ｎ）である）から、論理入力座標（Ｘ＋Ｍ，Ｙ＋Ｎ）の変数値が具体的に確定される（Ｘ＝Ｘα，Ｙ＝Ｙα）。
【手続補正１０】
【補正対象書類名】明細書
【補正対象項目名】０１０９
【補正方法】変更
【補正の内容】
【０１０９】
【発明の効果】
以上説明したように、本発明に係る情報処理装置は、入力された位置を取り込む位置入力部を介して、表示部が視認される情報処理装置に適用し、位置入力部に入力された入力位置を物理入力位置とし、前記物理入力位置に対応した前記表示部の表示位置を表示入力位置とするとき、位置入力部に入力が行われたときには、前記表示部に表示された画像を移動させると共にカーソルを表示入力位置とは異なる位置に表示した後、物理入力位置の移動に対応してカーソルの表示位置を移動させている。従って、カーソルは、例えばタッチペンや指等の位置指示手段によって入力された位置とは異なる位置に表示される。すなわち、カーソルは、位置指示手段によって隠されることのない位置に表示される。また、カーソルは、位置指示手段への入力位置の移動に対応して移動するので、カーソルを移動させる操作は容易となる。このため、アイコンや選択ボタンの形状が小型化されたときにも、アイコンや選択ボタンの指定を容易にすることができる。
【手続補正１１】
【補正対象書類名】明細書
【補正対象項目名】０１１０
【補正方法】変更
【補正の内容】
【０１１０】
また、さらに、位置入力部に対する入力が解除されたときには、解除される直前に表示されたカーソルの表示位置を入力位置と判定している。従って、位置指示手段による位置入力部への入力を継続しながら、入力位置を移動させる場合、カーソルが、指定外のアイコンや選択ボタンを横切る場合でも、横切ったアイコンや選択ボタンは指定されない。つまり、カーソルを移動させるとき、指定外のアイコンや選択ボタンを回避するような移動経路をとる必要がないので、容易に所望のアイコンや選択ボタンを指定することができる。
【手続補正１２】
【補正対象書類名】明細書
【補正対象項目名】０１１２
【補正方法】変更
【補正の内容】
【０１１２】
また、さらに、位置入力部への入力の継続期間が予め設定された期間より短いときには、入力以前の画像の表示を継続している。従って、画像の移動をしなくとも、位置入力部による位置指定が容易であるときには、位置入力手段による位置入力部への入力の継続期間を短くすると、画像は移動しないので、不要な画像移動を防止することができる。